(57)【要約】電子デバイス［１００］は、デバイスのアンテナ［１０４］を介して送信される送信信号の電力を設定する電力増幅器［１０２］を含み、さらに、アンテナと電力増幅器との間の信号経路においてＶＳＷＲを特定するＶＳＷＲ検出器［１１０］を含む。人（例えば、ユーザ）が移動してアンテナに極めて接近すると、信号経路に沿った反射エネルギーの量が増加し、その結果、ＶＳＷＲが増加する。電子デバイスの電力制御器は、人に対するＳＡＲ曝露が所定の閾値未満に維持されることを確実にするために、ＶＳＷＲに基づいて電力増幅器のゲインを設定する。【選択図】図１
2021532674.tif 000002
【特許請求の範囲】
【請求項１】
電力増幅器［１０２］によってアンテナ［１０４］に供給される電圧についての電圧定在波比（ＶＳＷＲ）を特定することと、
前記アンテナ［３３５］に近接する近接場に人体が存在することを前記ＶＳＷＲが示すことに応じて、前記電力増幅器を調整することと、を含む、
方法。
【請求項２】
前記ＶＳＷＲを特定することは、
前記電力増幅器と前記アンテナとの間の信号経路上での反射信号を検出することと、
前記反射信号に基づいて前記ＶＳＷＲを特定することと、を含む、
請求項１の方法。
【請求項３】
前記ＶＳＷＲを特定することは、
前記反射信号と、前記信号経路に沿って前記アンテナに送信された信号と、に基づいて反射係数を特定することと、
前記反射係数に基づいて前記ＶＳＷＲを特定することと、を含む、
請求項２の方法。
【請求項４】
前記反射信号を検出することは、
前記信号経路内の方向性結合器［１０８］において前記反射信号を検出し、ＲＦ検出器［２１７］を用いて前記反射信号を整流することを含む、
請求項３の方法。
【請求項５】
前記電力増幅器を調整することは、
前記ＶＳＷＲが閾値［３３６］を超えたことに応じて前記電力増幅器の電力出力を下げることを含む、
請求項１の方法。
【請求項６】
前記閾値は、プログラム可能な値である、
請求項５の方法。
【請求項７】
前記電力増幅器を調整することは、
前記電力増幅器の電力出力を、前記ＶＳＷＲに基づく調整量だけ下げることを含む、
請求項１の方法。
【請求項８】
電力増幅器［１０２］によってアンテナ［１０４］に供給される電圧についての電圧定在波比（ＶＳＷＲ）に基づいて、デバイス［１００］のアンテナ［１０４］に対する人体の近接を特定することと、
前記近接を特定したことに基づいて前記電力増幅器を調整することと、を含む、
方法。
【請求項９】
前記電力増幅器を調整することは、
近接度が第１の閾値内にあると特定したことに応じて、前記電力増幅器に供給される電力を第１の量だけ調整することと、
近接度が第２の閾値内にあると特定したことに応じて、前記電力増幅器に供給される前記電力を第２の量だけ調整することと、を含む、
請求項８の方法。
【請求項１０】
前記電力増幅器を調整することは、
近接度が閾値内にあると特定したことに応じて、前記電力増幅器に供給される電力を、予め較正されたレベルに調整することを含む、
請求項８の方法。
【請求項１１】
前記閾値は、プログラム可能な値である、
請求項１０の方法。
【請求項１２】
前記電力増幅器と前記アンテナとの間の信号経路上の反射信号を検出することと、
前記反射信号に基づいて前記ＶＳＷＲを特定することと、を含む、
請求項８の方法。
【請求項１３】
前記ＶＳＷＲを特定することは、
前記反射信号と、前記信号経路に沿って前記アンテナに送信された信号と、に基づいて反射係数を特定することと、
前記反射係数に基づいて前記ＶＳＷＲを特定することと、を含む、
請求項１２の方法。
【請求項１４】
デバイス［１００］であって、
電力増幅器［１０２］と、
信号経路を介して前記電力増幅器に接続されたアンテナ［１０４］と、
電力増幅器によって前記アンテナに供給される電圧についての電圧定在波比（ＶＳＷＲ）を特定するように構成されたＶＳＷＲ検出器［１１０］と、
前記アンテナに近接する人体の存在を前記ＶＳＷＲが示していることに応じて前記電力増幅器を調整するように構成された電力制御モジュール［２１８］と、を備える、
デバイス［１００］。
【請求項１５】
前記ＶＳＷＲ検出器は、
前記電力増幅器と前記アンテナとの間の信号経路上の反射信号を検出することと、
前記反射信号に基づいて前記ＶＳＷＲを特定することと、によって前記ＶＳＷＲを特定する、
請求項１４のデバイス。
【請求項１６】
前記ＶＳＷＲ検出器は、
前記反射信号と、前記信号経路に沿って前記アンテナに送信された信号と、に基づいて反射係数を特定することと、
前記反射係数に基づいて前記ＶＳＷＲを特定することと、によって前記ＶＳＷＲを特定する、
請求項１５のデバイス。
【請求項１７】
方向性結合器［１０８］を備え、前記ＶＳＷＲ検出器は、前記信号経路内の方向性結合器において前記反射信号を検出する、
請求項１６のデバイス。
【請求項１８】
前記電力制御モジュールは、
前記ＶＳＷＲが閾値を超えたことに応じて前記電力増幅器の電力出力を下げることによって、前記電力増幅器を調整する、
請求項１４のデバイス。
【請求項１９】
前記閾値は、プログラム可能な値である、
請求項１８のデバイス。
【請求項２０】
前記電力制御モジュールは、
前記アンテナからのＲＦ反射の大きさに基づく調整量だけ前記電力増幅器の電力出力を下げることによって、前記電力増幅器を調整する、
請求項１４のデバイス。
【発明の詳細な説明】
【背景技術】
【０００１】
無線周波数（ＲＦ）信号を送信する携帯及び他の電子デバイスは、電子デバイスに近接する人によって吸収され得る放射を発することが知られている。このような放射に曝されることは、比吸収率（ＳＡＲ）曝露と呼ばれる。ＳＡＲ曝露から受ける潜在的な健康上のリスクを減らすために、連邦通信委員会では、携帯電話等の特定のデバイスから生じ得るＳＡＲ曝露のレベルの要件を規定している。電子デバイスから発生する放射の量は、対応する送信ＲＦ信号の生成に用いられる電力量（送信電力）に比例するので、デバイスの最大送信電力に制限を加えることによってＦＣＣ要件を満たすことができる。しかし、このようにデバイスの送信電力を制限することは、デバイスの送信範囲及び信頼性を下げる可能性があるので望ましくない。デバイスによっては、動的な電力制御方式を採用している。専用の近接センサによってデバイス付近の人の存在を検出し、それに応じて送信電力を一時的に下げる。しかし、従来の動的な電力制御方式は実装が困難であり、近接センサ等の追加のハードウェア及び/又は複雑なソフトウェア開発が必要である。
【０００２】
本開示は、添付の図面を参照することによってより良く理解することができ、当業者にはその多数の特徴及び利点が明らかになる。異なる図面で同じ符号を使用する場合は、類似又は同一の要素であることを意味する。
【図面の簡単な説明】
【０００３】
【図１】いくつかの実施形態による、電力増幅器とアンテナとの間の信号経路上の電圧定在波比（ＶＳＷＲ）のモニタリングに基づいて送信ＲＦ電力を制御する電子デバイスのブロック図である。
【図２】いくつかの実施形態による、図１の電子デバイスの電力制御フィードバックループを示す回路図である。
【図３】いくつかの実施形態による、図１の電子デバイスへのユーザ近接に基づく送信電力制御の一例を示す図である。
【図４】いくつかの実施形態による、ＶＳＷＲのモニタリングに基づいて電子デバイスの送信電力を制御する方法のフロー図である。
【発明を実施するための形態】
【０００４】
図１〜図４に、電圧定在波比（ＶＳＷＲ）のモニタリングに基づいて電子デバイスの送信ＲＦ電力を制御するための技術を示す。電子デバイスは、デバイスのアンテナを介して送信される送信信号の電力を設定する電力増幅器を含み、さらに、アンテナと電力増幅器との間の信号経路でＶＳＷＲを特定するＶＳＷＲ検出器を含む。人（例えば、ユーザ）が移動してアンテナに極めて接近すると、信号経路に沿った反射エネルギーの量が増加し、その結果、ＶＳＷＲが増加する。電子デバイスの電力制御器は、ＶＳＷＲに基づいて電力増幅器のゲインを設定し、人に対するＳＡＲ曝露が所定の閾値未満に維持されることを確実にする。ＶＳＷＲを用いて近接を検出することによって、追加の近接センサを使用したり、送信電力に一定の制限を加えたりすることもなく、ＳＡＲ曝露が閾値未満に維持される。その結果、良好なユーザエクスペリエンスを維持しながら、デバイス設計及び実装を単純化する。
【０００５】
図１に、いくつかの実施形態による、ＶＳＷＲのモニタリングに基づいて送信電力を制御する電子デバイス１００のブロック図を示す。電子デバイス１００は、信号を送信する任意のデバイスであって、通常使用中にユーザ又は他の人に対する近接性が変化する任意のデバイスである。したがって、様々な実施形態では、電子デバイス１００は、携帯デバイス（例えば、携帯電話又はタブレット）、ラップトップ又はデスクトップコンピュータ、サーバ、ゲームコンソール等である。いくつかの実施形態では、電子デバイス１００は、命令を実行して電子デバイス１００の代わりに動作を行うように構成された１つ以上の処理ユニット（例えば、ＣＰＵ及びＧＰＵ）等のように、図１に特に示されていないモジュール及び回路を含む。これらの動作の一部として、処理ユニットは、電子デバイス１００の無線送受信部を介して送信するためのデータを生成する。無線送受信部は、概して、１つ以上の対応する無線通信規格（例えば、ブルートゥース（登録商標）、無線ローカルエリアネットワーク（ＷＬＡＮ）、及び、無線ワイドエリアネットワーク（ＷＷＡＮ）規格のうち１つ以上）に従ってデータを送信するように構成されている。
【０００６】
図１は、上述した無線送受信部の一部（電力増幅器１０２及びアンテナ１０４等）を示している。電力増幅器１０２は、概して、送信されるデータを表す入力信号を受信し、電力増幅器１０２のゲインに基づいて入力信号の大きさを増幅するように構成されている。図１の実施形態では、電力増幅器１０２のゲインは、ＰＯＷＥＲ  ＣＯＮＴＲＯＬと示された信号によって制御される調整可能な値である。本明細書でさらに説明するように、電子デバイス１００は、ＰＯＷＥＲ  ＣＯＮＴＲＯＬ信号を調整するように構成されており、したがって、電力増幅器１０２のゲインは、電子デバイス１００に関連するＳＡＲ曝露を許容限度内に維持するように構成されている。
【０００７】
アンテナ１０４は、概して、電力増幅器１０２の出力信号（すなわち、増幅された入力信号）を、信号経路を介して受信し、受信信号を無線で送信するように構成されている。いくつかの実施形態では、信号経路は、電力増幅器１０２からの信号をアンテナ１０４へ伝達する伝送線、金属線又は他の導体である。他の実施形態では、信号経路は、図１に具体的に示されていない１つ以上のモジュール（例えば、フィルタ、結合器、ダイオード等のうち１つ以上）を含み、伝達信号に対する良好な信号忠実度及び他の特定の要件をサポートすることができる。
【０００８】
いくつかのシナリオでは、アンテナ１０４がＲＦ信号を送信する結果、電子デバイス１００に近接するユーザ又は他の人は、近接場ＲＦ放射に曝される。ＲＦ放射に起因するＳＡＲ曝露が所定の限度（例えば、ＦＣＣが設定した制限）未満に維持されることを確実にするために、電子デバイス１００は、方向性結合器１０８を用いて、アンテナ１０４からの反射信号をＶＳＷＲ検出器１１０に供給する。ＶＳＷＲ検出器１１０は、人がアンテナ１０４に近接場に接近することで生じるアンテナからの反射の増加を検出し、検出された近接度に基づいてＰＯＷＥＲ  ＣＯＮＴＲＯＬ信号を調整する。例えば、反射信号の大きさが増加することによって示されるように、アンテナ１０４までの閾値距離内に人がいるとことを検出したことに応じて、ＶＳＷＲ検出器１１０は、ＰＯＷＥＲ  ＣＯＮＴＲＯＬ信号を調整して電力増幅器１０２のゲインを下げる。この結果、アンテナ１０４によって送信される信号の送信電力が下がり、これにより、ＲＦ放射のレベル、したがってＳＡＲ曝露レベルを低減する。閾値距離内に人がいないことをＶＳＷＲ検出器１１０が特定したことに応じて、ＶＳＷＲ検出器１１０は、ＰＯＷＥＲ  ＣＯＮＴＲＯＬ信号を調整して電力増幅器１０２のゲインを増加させ、その結果、アンテナ１０４によって送信される信号の送信電力が増加する。したがって、ＶＳＷＲ検出器１１０は、人がアンテナ１０４に接近していることに基づいて電子デバイス１００の送信電力を動的に調整し、その結果、良好なユーザエクスペリエンスのために十分な送信電力をサポートしながら、ＳＡＲ曝露を所定の限度未満に維持する。
【０００９】
人がアンテナ１０４に接近することを検出するために、ＶＳＷＲ検出器１１０は、信号経路に沿ってＶＳＷＲを特定する。アンテナに近接するとは、インピーダンスの変化の影響を受けやすいアンテナの近接場領域を指し、したがって、人体によって負荷がかかった場合に、意図した周波数帯域において反射信号の大きさが増加する。いくつかの実施形態では、ＶＳＷＲ検出器１１０は、信号経路に沿って送信される反射信号の電力レベル（反射電力と呼ばれる）をモニタすることによってＶＳＷＲを特定し、以下の数式に従ってＶＳＷＲを計算する。
【数１】
2021532674.tif 000003
ここで、Γは、以下の数式に従って計算される反射係数である。
【数２】
2021532674.tif 000004
Ｖｔは、信号経路に沿って電力増幅器１０２によって供給される信号の電圧の大きさであり、Ｖｒは、信号経路に沿った反射信号の電圧の大きさである。
【００１０】
動作中、アンテナ１０４に比較的近接する人がいない場合には、Ｖｒが比較的低く、したがってＶＳＷＲ値も比較的低い。人が移動してアンテナ１０４に極めて接近すると、人によって信号が反射されてアンテナ１０４及び信号経路に至るためＶｒが増加する。Ｖｒが増加する結果、ＶＳＷＲ値が増加する。ＶＳＷＲ値の増加に応じて、ＶＳＷＲ検出器は、ＰＯＷＥＲ  ＣＯＮＴＲＯＬ信号を調整して電力増幅器のゲインを下げ、その結果、人が移動してアンテナ１０４に極めて接近したときのＳＡＲ曝露レベルが低くなる。
【００１１】
いくつかの実施形態では、ＶＳＷＲ検出器１１０は、１つ以上の閾値とＶＳＷＲ値との関係に基づいて、ＰＯＷＥＲ  ＣＯＮＴＲＯＬ信号を調整するように構成されている。したがって、例えば、いくつかの実施形態では、ＶＳＷＲ検出器１１０は、ＶＳＷＲレベルを、アンテナ１０４に対する人の特定の近接度に対応する閾値と比較する。ＶＳＷＲ値が閾値を超えたことに応じて、ＶＳＷＲ検出器１１０は、ＰＯＷＥＲ  ＣＯＮＴＲＯＬ信号を用いて、電力増幅器１０２のゲインを特定の量だけ調整する。他の実施形態では、ＶＳＷＲ検出器１１０は、ＰＯＷＥＲ  ＣＯＮＴＲＯＬ信号を調整して、ＶＳＷＲレベルと電力増幅器１０２のゲインとの間の特定の関係（例えば、特定の線形関係又は他の特定の数学的関係等）を維持する。いくつかの実施形態では、電子デバイス１００を様々な環境及びアプリケーションで使用できるようにするために、電力増幅器１０２のゲインの変更を決定する１つ以上の閾値又は数学的な関係は、電子デバイス１００のプログラマが設定するプログラム可能な値であるか、又は、それに基づいている。
【００１２】
図２は、いくつかの実施形態による、測定されたＶＳＷＲに基づいて電力増幅器のゲインを調整するフィードバック制御ループを含む回路２００の回路図を示す。いくつかの実施形態では、回路２００は、電子デバイス１００において用いられ、ＶＳＷＲ検出器１１０の少なくとも一部を構成する。回路２００は、電力増幅器２０２（いくつかの実施形態では、図１の電力増幅器１０２に対応する）と、アンテナ２０４（いくつかの実施形態では、図１のアンテナ１０４に対応する）と、フィルタ２０６と、方向性結合器２０８と、抵抗器２１４と、ＲＦ検出器２１７（ダイオード２１２及びドライバ２１６を含む）と、コントロールモジュール２１８と、を含む。電力増幅器２０２は、入力信号を受信する入力と、出力と、を含む宇。フィルタ２０６は、電力増幅器２０２の出力に接続された入力と、出力と、を含む。
【００１３】
方向性結合器２０８は、フィルタ２０６の出力に接続された端子と、アンテナ２０４に接続された端子と、ＲＦ検出器２１７の端子に接続された端子と、抵抗器２１４の端子に接続された端子と、を含む。抵抗器２１４は、接地基準電圧に接続された別の端子を含む。コントロールモジュール２１８は、ＲＦ検出器２１７の出力に接続された入力と、電力増幅器２０２にＰＯＷＥＲ  ＣＯＮＴＲＯＬ信号を供給する出力と、を含む。
【００１４】
少なくとも１つの実施形態では、方向性結合器２０８は、概して、入力ポートがフィルタ２０６の出力に接続され、送信ポートがアンテナ２０４に接続され、結合ポートが抵抗器２１４に接続され、隔離ポートがＲＦ検出器２１７の入力に接続されるように構成されている。このようにして方向性結合器２０８が接続され、抵抗器２１４のサイズは、アンテナ２０４の付近に存在しない場合に、電力増幅器２０２が出力信号を公称電力レベルで供給すると仮定すると、隔離ポートにおける（したがって、ＲＦ検出器２１７の入力における）反射電力量が比較的低くなるように構成されている。人が移動してアンテナ２０４に近接する閾値内にいると、アンテナ２０４の実効インピーダンスが変化し、検出器回路の負入力における反射電力量が増加する。
【００１５】
コントロールモジュール２１８は、概して、ＲＦ検出器２１７によって供給される信号を測定し、測定信号に基づいて、アンテナ２０４に供給される信号のＶＳＷＲ値を生成するように構成されている。さらに、コントロールモジュール２１８は、測定されたＶＳＷＲ値を、プログラム可能な制御閾値と比較するように構成されており、ＶＳＷＲ値が閾値を超えたと判別したことに応じて、電力増幅器２０２のゲインを下げるようにＰＯＷＥＲ制御を設定し、アンテナ２０４に供給される出力信号の電力を下げ、その結果、ＳＡＲ放射レベルを特定の許容範囲内まで下げる。コントロールモジュール２１８は、アンテナ２０４からの反射電力を測定し続け、ＶＳＷＲ値が閾値を下回る（アンテナ２０４に近接する閾値内に人がいないことを示す）ことに応じて、出力信号の電力を公称電力レベルに戻すようにＰＯＷＥＲ  ＣＯＮＴＲＯＬ信号を設定する。
【００１６】
図３は、いくつかの実施形態による、図１の電子デバイス１００へのユーザの近接性に基づく送信電力制御の一例を共に示すダイアグラム３３０，３３１，３３２を示す。ダイアグラム３３０，３３１，３３２の各々のＸ軸は時間を表し、ダイアグラム３３０のＹ軸はＶＳＷＲ検出器１１０が測定したＶＳＷＲを表し、ダイアグラム３３１のＹ軸は電力増幅器１０２の出力信号のＲＦ電力を表し、ダイアグラム３３２のＹ軸はアンテナ１０４によって放出されたＳＡＲ放射のレベルを表す。
【００１７】
図示した例では、時間３３５の前に、アンテナ１０４に近接する閾値内に人体が存在しない。したがって、ＶＳＷＲ検出器１１０によって検出されるＶＳＷＲは、閾値レベル３３６未満である。そのため、ＶＳＷＲ検出器１１０は、電力増幅器１０２の電力出力を最大レベルに設定するようにＰＯＷＥＲ  ＣＯＮＴＲＯＬ信号を設定する。したがって、図３３２に示すように、時間３３５の前では、ＳＡＲ放射のレベルは、ＦＣＣによって設定された閾値を上回っている。時間３３５において、人体が移動してアンテナ１０４に近接する閾値内に入り、その結果、ＶＳＷＲが増加して閾値レベル３３３６を上回る。これに応じて、ダイアグラム３３１に示すように、ＶＳＷＲ検出器１１０は、ＰＯＷＥＲ  ＣＯＮＴＲＯＬ信号を調整して、電力増幅器１０２の出力信号の電力を下げる、ＰＯＷＥＲ  ＣＯＮＴＲＯＬ信号を調整することによって、ダイアグラム３３２に示すようにＳＡＲ放射のレベルがＦＣＣ閾値を下回る。
【００１８】
図４は、いくつかの実施形態による、ＶＳＷＲのモニタリングに基づいて電子デバイスにおける送信電力を制御する方法４００のフロー図を示す。説明のために、方法４００は、図１の電子デバイス１００における実施例に関して説明される。ブロック４０２において、電子デバイス１００がオン又はリセットされる。この時点では、アンテナ１０４に対する人の近接性が不明である。したがって、ＳＡＲ曝露が所定の限度内に確実に維持されるように、電子デバイス１００は、電力増幅器１０２を初期化して比較的低いゲインにする。
【００１９】
ブロック４０４において、ＶＳＷＲ検出器１１０は、信号経路に沿ってＶＳＷＲを測定し、ＶＳＷＲを閾値と比較する。ＶＳＷＲが閾値未満である場合、方法のフローがブロック４０６に進み、ＶＳＷＲ検出器１１０は、電力増幅器１０２のゲインを公称レベルまで増加させるようにＰＯＷＥＲ  ＣＯＮＴＲＯＬ信号を設定する。方法のフローがブロック４０４に戻り、ＶＳＷＲ検出器１１０は、信号経路に沿ってＶＳＷＲをモニタし続ける。
【００２０】
ブロック４０４において、ＶＳＷＲが閾値を上回っているとＶＳＷＲ検出器１１０が判別したことに応じて、方法のフローがブロック４０８に進み、ＶＳＷＲ検出器は、信号経路に沿って反射電力量を検出する。ＶＳＷＲ検出器は、反射電力に基づいて、電力増幅器１０２のゲインを下げるようにＰＯＷＥＲ  ＣＯＮＴＲＯＬ信号を設定する。ブロック４１０において、調整したＰＯＷＥＲ  ＣＯＮＴＲＯＬ信号に基づいて、電力増幅器１０２のゲインを下げ、その結果、アンテナ１０４に近接する人に対するＳＡＲ曝露を低下させる。
【００２１】
本明細書で開示したように、いくつかの実施形態では、方法は、電力増幅器によってアンテナに供給される電圧についての電圧定在波比（ＶＳＷＲ）を特定することと、アンテナに近接する近接場に人体が存在することをＶＳＷＲが示すことに応じて、電力増幅器を調整することと、を含む。一態様では、ＶＳＷＲを特定することは、電力増幅器とアンテナとの間の信号経路上での反射信号を検出することと、反射信号に基づいてＶＳＷＲを特定することと、を含む。別の態様では、ＶＳＷＲを特定することは、反射信号と、信号経路に沿ってアンテナに送信された信号と、に基づいて反射係数を特定することと、反射係数に基づいてＶＳＷＲを特定することと、を含む。
【００２２】
一態様では、反射信号を検出することは、信号経路内の方向性結合器において反射信号を検出し、ＲＦ検出器を用いて反射信号を整流することを含む。別の態様では、電力増幅器を調整することは、ＶＳＷＲが閾値を超えたことに応じて電力増幅器の電力出力を下げることを含む。さらに別の態様では、閾値は、プログラム可能な値である。さらに別の態様では、電力増幅器を調整することは、電力増幅器の電力出力を、ＶＳＷＲに基づく調整量だけ下げることを含む。
【００２３】
本明細書で開示したように、いくつかの実施形態では、方法は、電力増幅器によってアンテナに供給される電圧についての電圧定在波比（ＶＳＷＲ）に基づいて、デバイスのアンテナに対する人体の近接を特定することと、近接を特定したことに基づいて電力増幅器を調整することと、を含む。一態様では、電力増幅器を調整することは、近接度が第１の閾値内にあると特定したことに応じて、電力増幅器に供給される電力を第１の量だけ調整することと、近接度が第２の閾値内にあると特定したことに応じて、電力増幅器に供給される電力を第２の量だけ調整することと、を含む。別の態様では、電力増幅器を調整することは、近接度が閾値内にあると特定したことに応じて、電力増幅器に供給される電力を、予め較正されたレベルに調整することを含む。さらに別の態様では、閾値は、プログラム可能な値である。さらに別の態様では、方法は、電力増幅器とアンテナとの間の信号経路上の反射信号を検出することと、反射信号に基づいてＶＳＷＲを特定することと、を含む。さらに別の態様では、ＶＳＷＲを特定することは、反射信号と、信号経路に沿ってアンテナに送信された信号と、に基づいて反射係数を特定することと、反射係数に基づいてＶＳＷＲを特定することと、を含む。
【００２４】
本明細書で開示したように、いくつかの実施形態では、デバイスは、電力増幅器と、信号経路又は伝送線を介して電力増幅器に接続されたアンテナと、電力増幅器によってアンテナに供給される電圧についてのＶＳＷＲを特定するように構成された電圧定在波比（ＶＳＷＲ）検出器と、アンテナに近接する人体の存在をＶＳＷＲが示していることに応じて電力増幅器を調整するように構成された電力制御モジュールと、を含む。一態様では、ＶＳＷＲモジュールは、電力増幅器とアンテナとの間の信号経路上の反射信号を検出することと、反射信号に基づいてＶＳＷＲを特定することと、によってＶＳＷＲを特定する。
【００２５】
一態様では、ＶＳＷＲモジュールは、反射信号と、信号経路に沿ってアンテナに送信された信号と、に基づいて反射係数を特定することと、反射係数に基づいてＶＳＷＲを特定することと、によってＶＳＷＲを特定する。別の態様では、デバイスは、方向性結合器を含み、ＶＳＷＲ検出器は、信号経路内の方向性結合器において反射信号を検出する。さらに別の態様では、電力制御モジュールは、ＶＳＷＲが閾値を超えたことに応じて電力増幅器の電力出力を下げることによって、電力増幅器を調整する。さらに別の態様では、閾値は、プログラム可能な値である。さらに別の態様では、電力制御モジュールは、アンテナからのＲＦ反射の大きさに基づく調整量だけ電力増幅器の電力出力を下げることによって、電力増幅器を調整する。
【００２６】
命令及び／又はデータをコンピュータシステムに提供するために、使用中にコンピュータシステムによってアクセス可能な任意の非一時的な記憶媒体、又は、非一時的な記憶媒体の組み合わせを含むことができる。このような記憶媒体としては、光学媒体（例えば、コンパクトディスク（ＣＤ）、デジタル多用途ディスク（ＤＶＤ）、ブルーレイ（登録商標）ディスク）、磁気媒体（例えば、フロッピー（登録商標）ディスク、磁気テープ若しくは磁気ハードドライブ）、揮発性メモリ（例えば、ランダムアクセスメモリ（ＲＡＭ）若しくはキャッシュ）、不揮発性メモリ（例えば、リードオンリーメモリ（ＲＯＭ）若しくはフラッシュメモリ）、又は、微小電気機械システム（ＭＥＭＳ）ベースの記憶媒体が挙げられるが、これらに限定されない。コンピュータ可読記憶媒体は、コンピューティングシステムに組み込まれてもよく（例えば、システムＲＡＭ、ＲＯＭ等）、コンピューティングシステムに固定的に取り付けられてもよく（例えば、磁気ハードドライブ等）、コンピューティングシステムに取り外し可能に取り付けられてもよく（例えば、光学ディスク、ユニバーサルシリアルバス（ＵＳＢ）ベースのフラッシュメモリ等）、有線又は無線ネットワークを介してコンピュータシステムに接続されてもよい（例えば、ネットワークアクセスストレージ（ＮＡＳ）等）。
【００２７】
いくつかの実施形態では、上記の技術の特定の態様は、ソフトウェアを実行する処理システムの１つ以上のプロセッサによって実施されてもよい。ソフトウェアは、非一時的なコンピュータ可読記憶媒体に記憶され、又は、非一時的なコンピュータ可読記憶媒体上に他の形態で具体化された実行可能命令の１つ以上のセットを含む。ソフトウェアは、１つ以上のプロセッサによって実行される場合に、上記の技術の１つ以上の態様を実施するように１つ以上のプロセッサを操作する命令及び特定のデータを含むことができる。非一時的なコンピュータ可読記憶媒体は、例えば、磁気ディスク若しくは光ディスク記憶デバイス、フラッシュメモリ、キャッシュ、ランダムアクセスメモリ（ＲＡＭ）等のソリッドステート記憶デバイス、又は、他の１つ以上の不揮発性メモリデバイス等を含むことができる。非一時的なコンピュータ可読記憶媒体に記憶される実行可能命令は、ソースコード、アセンブリ言語コード、オブジェクトコード、又は、１つ以上のプロセッサによって解釈されるか、別の方法で実行可能な他の命令フォーマットであってもよい。
【００２８】
概要説明において上述したアクティビティ又は要素の全てが必須でないこと、特定のアクティビティ又はデバイスの一部が必要とされない場合があること、及び、１つ以上の追加のアクティビティを実行してもよいし、要素を含めてもよいことに留意されたい。さらに、アクティビティがリストされる順序は、必ずしもそれらが実行される順序ではない。また、これらの概念は、特定の実施形態を参照して説明されている。しかしながら、当業者は、以下の特許請求の範囲に記載された本発明の範囲から逸脱することなく、様々な修正及び変更を行うことができることを理解するであろう。したがって、本明細書及び図面は、限定的な意味ではなく、例示的な意味としてみなされるべきであり、そのような全ての修正が本発明の範囲内に含まれることが意図されている。
【００２９】
特定の実施形態に関して、利益、他の利点、及び、問題に対する解決策が上述されている。ただし、利益、利点、問題に対する解決策、及び、任意の利益、利点、解決策を生じさせるか、より顕著になる可能性のある任意の特徴（複数可）は、何れか又は全ての請求項の重要な、必須の、又は、本質的な特徴として解釈されるべきではない。さらに、開示された発明は、本明細書の教示の恩恵を受ける当業者には明らかな方法であって、異なっているが同等の方法で修正され、実施されてもよい。このため、上記に開示された特定の実施形態は、例示的なものに過ぎない。以下の特許請求の範囲に記載されている以外に、本明細書に示されている構造又は設計の詳細については、如何なる限定も意図されていない。したがって、上記に開示された特定の実施形態は変更又は修正されてもよく、このような全ての変形は開示された発明の範囲内であると考えられることが明らかである。したがって、本明細書において求められる保護は、以下の特許請求の範囲に記載されている通りである。
【図１】
2021532674.tif 000005
【図２】
2021532674.tif 000006
【図３】
2021532674.tif 000007
【図４】
2021532674.tif 000008
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
電力増幅器［１０２］によってアンテナ［１０４］に供給される電圧についての電圧定在波比（ＶＳＷＲ）を特定することと、
前記アンテナ［３３５］に近接する近接場に人体が存在することを前記ＶＳＷＲが示すことに応じて、前記電力増幅器を調整することと、を含む、
方法。
【請求項２】
前記ＶＳＷＲを特定することは、
前記電力増幅器と前記アンテナとの間の信号経路上での反射信号を検出することと、
前記反射信号に基づいて前記ＶＳＷＲを特定することと、を含む、
請求項１の方法。
【請求項３】
前記ＶＳＷＲを特定することは、
前記反射信号と、前記信号経路に沿って前記アンテナに送信された信号と、に基づいて反射係数を特定することと、
前記反射係数に基づいて前記ＶＳＷＲを特定することと、を含む、
請求項２の方法。
【請求項４】
前記反射信号を検出することは、
前記信号経路内の方向性結合器［１０８］において前記反射信号を検出し、ＲＦ検出器［２１７］を用いて前記反射信号を整流することを含む、
請求項３の方法。
【請求項５】
前記電力増幅器を調整することは、
前記ＶＳＷＲが閾値［３３６］を超えたことに応じて前記電力増幅器の電力出力を下げることを含む、
請求項１〜４の何れかの方法。
【請求項６】
前記閾値は、プログラム可能な値である、
請求項５の方法。
【請求項７】
前記電力増幅器を調整することは、
前記電力増幅器の電力出力を、前記ＶＳＷＲに基づく調整量だけ下げることを含む、
請求項１〜６の何れかの方法。
【請求項８】
デバイス［１００］であって、
電力増幅器［１０２］と、
信号経路を介して前記電力増幅器に接続されたアンテナ［１０４］と、
電力増幅器によって前記アンテナに供給される電圧についての電圧定在波比（ＶＳＷＲ）を特定するように構成されたＶＳＷＲ検出器［１１０］と、
前記アンテナに近接する人体の存在を前記ＶＳＷＲが示していることに応じて前記電力増幅器を調整するように構成された電力制御モジュール［２１８］と、を備える、
デバイス［１００］。
【請求項９】
前記ＶＳＷＲ検出器は、
前記電力増幅器と前記アンテナとの間の信号経路上の反射信号を検出することと、
前記反射信号に基づいて前記ＶＳＷＲを特定することと、によって前記ＶＳＷＲを特定する、
請求項８のデバイス。
【請求項１０】
前記ＶＳＷＲ検出器は、
前記反射信号と、前記信号経路に沿って前記アンテナに送信された信号と、に基づいて反射係数を特定することと、
前記反射係数に基づいて前記ＶＳＷＲを特定することと、によって前記ＶＳＷＲを特定する、
請求項９のデバイス。
【請求項１１】
方向性結合器［１０８］を備え、前記ＶＳＷＲ検出器は、前記信号経路内の方向性結合器において前記反射信号を検出する、
請求項１０のデバイス。
【請求項１２】
前記電力制御モジュールは、
前記ＶＳＷＲが閾値を超えたことに応じて前記電力増幅器の電力出力を下げることによって、前記電力増幅器を調整する、
請求項８〜１１の何れかのデバイス。
【請求項１３】
前記閾値は、プログラム可能な値である、
請求項１２のデバイス。
【請求項１４】
前記電力制御モジュールは、
前記アンテナからのＲＦ反射の大きさに基づく調整量だけ前記電力増幅器の電力出力を下げることによって、前記電力増幅器を調整する、
請求項８〜１３の何れかのデバイス。
【国際調査報告】
2021532674.tif 000009
2021532674.tif 000010